(57)【要約】【課題】素子の耐圧を下げることなく、半導体層の層厚を小さくする。【解決手段】ＢＯＸ層４上に積層されたＮ−型のＳＯＩ層５に、環状のディープトレンチ６が形成されている。ディープトレンチ６は、ＳＯＩ層５の表面からＢＯＸ層４に至る深さを有している。ディープトレンチ６に取り囲まれる素子形成領域９には、Ｐ型のボディ領域１０と、このボディ領域１０以外の残余の領域からなるＮ−型のドリフト領域１１とが形成されている。ボディ領域１０の表層部には、Ｎ＋型のソース領域１２が形成されている。ドリフト領域１１の表層部には、Ｎ＋型のドレイン領域１４が形成されている。ドリフト領域１１には、ＳＯＩ層５のＮ型不純物濃度よりも高く、かつ、ドレイン領域のＮ型不純物濃度よりも低いＮ型不純物濃度を有するＮ型領域４２が形成されている。Ｎ型領域４２の最深部は、ドレイン領域１４よりも深い位置に達している。【選択図】図４
2015156507.tif 000002
【特許請求の範囲】
【請求項１】
絶縁層と、
前記絶縁層上に積層され、素子形成領域を有する第１導電型の半導体層と、
前記素子形成領域の周縁部に形成される第２導電型のボディ領域と、
前記素子形成領域において、前記ボディ領域以外の残余の領域からなる第１導電型のドリフト領域と、
前記ボディ領域の表層部に形成された第１導電型のソース領域と、
前記ドリフト領域の表層部に形成された第１導電型のドレイン領域と、
前記ドリフト領域の表面に形成され、前記ドレイン領域を露出させる開口部を有する絶縁膜と、
前記ドリフト領域において、前記絶縁膜の前記開口部の周縁部およびその内側の領域に選択的に前記ドレイン領域に対して隣接して形成され、前記ドレイン領域の下部全体を覆う第１部分を含み、最深部が前記ドレイン領域よりも深い位置に達し、前記ドリフト領域の第１導電型不純物濃度よりも高く、かつ、前記ドレイン領域の第１導電型不純物濃度よりも低い第１導電型不純物濃度を有する第１導電型領域とを含み、
前記ドリフト領域において、前記ドレイン領域および前記第１導電型領域を除く領域は、実質的に一定の不純物濃度を有し、
前記絶縁膜は、厚さが一定の第１部分と、前記第１部分から前記開口部にかけて厚さが減少する第２部分とを含み、
前記第１導電型領域における前記ドリフト領域の表面に沿う方向の端部が、前記絶縁膜の前記第２部分の下領域に位置している、半導体装置。
【請求項２】
前記第１導電型領域は、前記ドレイン領域の側方部に前記ドレイン領域に対して隣接して形成された第２部分を含む、請求項１に記載の半導体装置。
【請求項３】
前記第１導電型領域の前記第２部分は、前記絶縁膜の前記開口部の周縁部に形成されている、請求項２に記載の半導体装置。
【請求項４】
前記第１導電型領域の前記第２部分における前記ドリフト領域の表面に沿う方向の厚さは、前記第１導電型領域の前記第１部分における前記ドリフト領域の深さ方向の厚さよりも薄い、請求項２または３に記載の半導体装置。
【請求項５】
前記ドリフト領域の表面において、前記ソース領域から前記ボディ領域を介して前記ドレイン領域へ向かって延びるように形成され、ゲート絶縁膜を介して配置されたゲート電極をさらに含み、
前記第１導電型領域の前記ドリフト領域の表面に沿う方向の端部は、前記ゲート電極に対して前記ドレイン領域側に配置されている、請求項１〜４のいずれか一項に記載の半導体装置。
【請求項６】
前記絶縁膜は、ＬＯＣＯＳ酸化膜を含む、請求項１〜５のいずれか一項に記載の半導体装置。
【請求項７】
前記ボディ領域の外側を取り囲む絶縁体からなる素子分離層をさらに含む、請求項１〜６のいずれか一項に記載の半導体装置。
【請求項８】
前記素子分離層は、前記半導体層の表面から前記絶縁層に至る深さを有している、請求項７に記載の半導体装置。
【発明の詳細な説明】
【技術分野】
【０００１】
本発明は、ＬＤＭＯＳＦＥＴ（Lateral Double diffused Metal Oxide Semiconductor Field Effect Transistor）を備える半導体装置に関する。
【背景技術】
【０００２】
たとえば、ＬＤＭＯＳＦＥＴを備える半導体装置には、その基体として厚膜ＳＯＩ（Silicon On Insulator）基板を採用することにより、ＬＤＭＯＳＦＥＴの高耐圧化を図ったものがある。
図６は、高耐圧のＬＤＭＯＳＦＥＴを備える半導体装置の模式的な断面図である。
半導体装置１０１の基体をなす厚膜ＳＯＩ基板１０２は、シリコン基板１０３上に、ＳｉＯ２（酸化シリコン）からなるＢＯＸ（Buried Oxide）層１０４を介して、Ｓｉ（シリコン）からなるＳＯＩ層１０５を積層した構造を有している。
【０００３】
ＳＯＩ層１０５には、環状のディープトレンチ１０６がその表面から掘り下げて形成されている。ディープトレンチ１０６の最深部は、ＢＯＸ層１０４に達している。ディープトレンチ１０６内は、シリコン酸化膜１０７を介して、ポリシリコン１０８で埋め尽くされている。これにより、ディープトレンチ１０６に囲まれる領域は、その周囲から絶縁分離（誘電体分離）された素子形成領域となっている。
【０００４】
素子形成領域には、ＬＤＭＯＳＦＥＴが形成されている。具体的には、素子形成領域において、ＳＯＩ層１０５には、ディープトレンチ１０６の側面に沿って、Ｐ型のボディ領域１０９が形成されている。素子形成領域におけるボディ領域１０９以外の領域１１０は、Ｎ−型（低濃度Ｎ型）のドリフト領域である。ボディ領域１０９の表層部には、Ｎ＋型（高濃度Ｎ型）のソース領域１１１と、Ｐ＋型（高濃度Ｐ型）のボディコンタクト領域１１２とが互いに隣接して形成されている。ドリフト領域１１０の表層部には、Ｎ＋型のドレイン領域１１３が形成されている。
【０００５】
ドリフト領域１１０の表面には、ボディ領域１０９とドレイン領域１１３との間に、ＬＯＣＯＳ酸化膜１１４が形成されている。ＳＯＩ層１０５の表面上には、ソース領域１１１とＬＯＣＯＳ酸化膜１１４との間に、ゲート酸化膜１１５が形成されている。ゲート酸化膜１１５上には、ゲート電極１１６が形成されている。
この構造では、ドレイン領域１１３に印加される正極性の高電圧（ドレイン電圧）を、ドリフト領域１１０に生じる空乏層とＢＯＸ層１０４とに分担させることができ、ＬＤＭＯＳＦＥＴの高耐圧化を図ることができる。
【先行技術文献】
【特許文献】
【０００６】
【特許文献１】特開２００６−１９５０８号公報
【発明の概要】
【発明が解決しようとする課題】
【０００７】
ＬＤＭＯＳＦＥＴのさらなる高耐圧化を図るためには、ドリフト領域１１０の不純物濃度をさらに低くすればよい。しかし、ドリフト領域１１０の不純物濃度を低下させると、空乏層がドレイン領域１１３に向かって大きく延び（空乏層の深さ方向の幅が大きくなり）、空乏層容量が低下する。その結果、ＢＯＸ層１０４によるドレイン電圧の分担が小さくなるので、耐圧を維持するためには、ＳＯＩ層１０５（ドリフト領域１１０）の層厚を大きくせざるを得ない。たとえば、ＢＯＸ層１０４の層厚が１．５μｍであり、ドリフト領域１１０のＮ型不純物濃度が３．５×１０１４／ｃｍ３である場合、６００Ｖの耐圧を得るためには、ＳＯＩ層１０５の層厚を４０μｍ以上にしなければならない。ＳＯＩ層１０５の層厚が大きいと、ディープトレンチ１０６の形成が困難となり、半導体装置の製造に手間および時間がかかってしまう。
【０００８】
また、ＳＯＩ層１０５の層厚の増大を回避するために、ＢＯＸ層１０４の層厚を大きくすることにより、ＢＯＸ層１０４によるドレイン電圧の分担を増やし、ドリフト領域１１０における空乏層の広がりを抑えることが考えられる。しかし、現在の技術では、層厚４μｍ以上のＢＯＸ層１０４を有する厚膜ＳＯＩ基板１０２を製造することはできない。したがって、ドリフト領域１１０のＮ型不純物濃度が３．５×１０１４／ｃｍ３である場合に、６００Ｖの耐圧を得るためには、ＢＯＸ層１０４の層厚を４μｍにしても、ＳＯＩ層１０５の層厚を４０μｍ以下にすることはできない。
【０００９】
そこで、本発明の目的は、素子の耐圧を下げることなく、半導体層の層厚を小さくすることができる、半導体装置を提供することである。
【課題を解決するための手段】
【００１０】
前記の目的を達成するための請求項１記載の発明は、絶縁層と、前記絶縁層上に積層され、素子形成領域を有する第１導電型の半導体層と、前記素子形成領域の周縁部に形成される第２導電型のボディ領域と、前記素子形成領域において、前記ボディ領域以外の残余の領域からなる第１導電型のドリフト領域と、前記ボディ領域の表層部に形成された第１導電型のソース領域と、前記ドリフト領域の表層部に形成された第１導電型のドレイン領域と、前記ドリフト領域の表面に形成され、前記ドレイン領域を露出させる開口部を有する絶縁膜と、前記ドリフト領域において、前記絶縁膜の前記開口部の周縁部およびその内側の領域に選択的に前記ドレイン領域に対して隣接して形成され、前記ドレイン領域の下部全体を覆う第１部分を含み、最深部が前記ドレイン領域よりも深い位置に達し、前記ドリフト領域の第１導電型不純物濃度よりも高く、かつ、前記ドレイン領域の第１導電型不純物濃度よりも低い第１導電型不純物濃度を有する第１導電型領域とを含み、前記ドリフト領域において、前記ドレイン領域および前記第１導電型領域を除く領域は、実質的に一定の不純物濃度を有する、半導体装置である。
【００１１】
この半導体装置では、絶縁層上に積層された第１導電型の半導体層の素子形成領域には、第２導電型のボディ領域と、このボディ領域以外の残余の領域からなる第１導電型のドリフト領域とが形成されている。ドリフト領域は、半導体層の第１導電型不純物濃度と等しい第１導電型不純物濃度を有している。ボディ領域の表層部には、第１導電型のソース領域が形成されている。ドリフト領域の表層部には、第１導電型のドレイン領域が形成されている。ドリフト領域には、半導体層（ドリフト領域）の第１導電型不純物濃度よりも高く、かつ、ドレイン領域の第１導電型不純物濃度よりも低い第１導電型不純物濃度を有する第１導電型領域が形成されている。第１導電型領域の最深部は、ドレイン領域よりも深い位置に達している。
【００１２】
第１導電型領域が形成されていることにより、空乏層がドレイン領域に向かって延びるのを抑制することができる。そのため、素子形成領域に形成される素子の耐圧を下げることなく、半導体層の層厚を小さくすることができる。
たとえば、半導体層（ドリフト領域）の不純物濃度が３．５×１０１４／ｃｍ３であり、ドレイン領域の第１導電型不純物濃度が１０２０／ｃｍ３である場合、前記第１導電型領域における第１導電型不純物濃度の極大値（ピーク濃度）は、１０１８〜１９／ｃｍ３であることが好ましい。また、第１導電型領域は、ドレイン領域の表面からの深さが０〜１０μｍの位置でピーク濃度を有することが好ましく、ドレイン領域の表面からの深さが２〜５μｍの位置でピーク濃度を有することがより好ましい。ピーク濃度が１０１８〜１９／ｃｍ３であり、そのピーク濃度をドレイン領域の表面からの深さが２〜５μｍの位置で有する場合、絶縁層の層厚を１．５μｍとし、半導体層の層厚を３０μｍとして、６００Ｖ以上の素子耐圧を得ることができる。
【００１３】
請求項２記載の発明は、前記第１導電型領域は、前記ドレイン領域の側方部に前記ドレイン領域に対して隣接して形成された第２部分を含む、請求項１に記載の半導体装置である。
請求項３記載の発明は、前記第１導電型領域の前記第２部分は、前記絶縁膜の前記開口部の周縁部に形成されている、請求項２に記載の半導体装置である。
【００１４】
請求項４記載の発明は、前記第１導電型領域の前記第２部分における前記ドリフト領域の表面に沿う方向の厚さは、前記第１導電型領域の前記第１部分における前記ドリフト領域の深さ方向の厚さよりも薄い、請求項２または３に記載の半導体装置である。
請求項５記載の発明は、前記ドリフト領域の表面において、前記ソース領域から前記ボディ領域を介して前記ドレイン領域へ向かって延びるように形成され、ゲート絶縁膜を介して配置されたゲート電極をさらに含み、前記第１導電型領域の前記ドリフト領域の表面に沿う方向の端部は、前記ゲート電極に対して前記ドレイン領域側に配置されている、請求項１〜４のいずれか一項に記載の半導体装置である。
【００１５】
請求項６記載の発明は、前記絶縁膜は、ＬＯＣＯＳ酸化膜を含む、請求項１〜５のいずれか一項に記載の半導体装置である。
請求項７記載の発明は、前記ボディ領域の外側を取り囲む絶縁体からなる素子分離層をさらに含む、請求項１〜６のいずれか一項に記載の半導体装置である。
請求項８記載の発明は前記素子分離層は、前記半導体層の表面から前記絶縁層に至る深さを有している、請求項７に記載の半導体装置である。
【図面の簡単な説明】
【００１６】
【図１】本発明の参考例に係る半導体装置の構造を示す模式的な断面図である。
【図２Ａ】図１に示す半導体装置の製造方法を説明するための模式的な断面図である。
【図２Ｂ】図２Ａに示す工程の次の工程を説明するための模式的な断面図である。
【図２Ｃ】図２Ｂに示す工程の次の工程を説明するための模式的な断面図である。
【図２Ｄ】図２Ｃに示す工程の次の工程を説明するための模式的な断面図である。
【図２Ｅ】図２Ｄに示す工程の次の工程を説明するための模式的な断面図である。
【図３】Ｎ型拡散領域を形成するための他の手法（図２Ｂに示す工程とは異なる手法）について説明するための模式的な断面図である。
【図４】本発明の一実施形態に係る半導体装置の構造を示す模式的な断面図である。
【図５Ａ】図４に示す半導体装置の製造方法を説明するための模式的な断面図である。
【図５Ｂ】図５Ａに示す工程の次の工程を説明するための模式的な断面図である。
【図５Ｃ】図５Ｂに示す工程の次の工程を説明するための模式的な断面図である。
【図５Ｄ】図５Ｃに示す工程の次の工程を説明するための模式的な断面図である。
【図６】従来のＬＤＭＯＳＦＥＴを備える半導体装置の模式的な断面図である。
【発明を実施するための形態】
【００１７】
以下では、本発明の実施の形態および参考例を、添付図面を参照して詳細に説明する。
図１は、本発明の参考例に係る半導体装置の構造を示す模式的な断面図である。
半導体装置１は、厚膜ＳＯＩ基板２を備えている。厚膜ＳＯＩ基板２は、シリコン基板３上に、ＳｉＯ２からなる絶縁層としてのＢＯＸ層４を介して、ＳｉからなるＮ−型のＳＯＩ層５を積層した構造を有している。ＢＯＸ層４の層厚は、たとえば、１．５μｍである。ＳＯＩ層５の層厚は、たとえば、３０μｍである。ＳＯＩ層５のＮ型不純物濃度は、たとえば、３．５×１０１４／ｃｍ３である。
【００１８】
半導体層としてのＳＯＩ層５には、環状のディープトレンチ６が層厚方向に貫通して形成されている。すなわち、ＳＯＩ層５には、その表面からＢＯＸ層４に至る深さを有する、環状のディープトレンチ６が形成されている。ディープトレンチ６の内側面は、シリコン酸化膜７で覆われている。シリコン酸化膜７の内側は、ポリシリコン８で埋め尽くされている。これにより、ディープトレンチ６に囲まれる領域は、ＢＯＸ層４およびシリコン酸化膜７により、その周囲から絶縁分離（誘電体分離）された素子形成領域９となっている。
【００１９】
素子形成領域９には、ＬＤＭＯＳＦＥＴが形成されている。具体的には、素子形成領域９において、ＳＯＩ層５には、Ｐ型のボディ領域１０が形成されている。ボディ領域１０は、ディープトレンチ６の側面に沿って環状をなし、ＳＯＩ層５の全厚にわたって形成されている。また、素子形成領域９におけるボディ領域１０以外の領域１１は、Ｎ−型のドリフト領域であり、ＳＯＩ層５のＮ型不純物濃度と同じＮ型不純物濃度を有している。
【００２０】
ボディ領域１０の表層部には、Ｎ＋型のソース領域１２と、Ｐ＋型のボディコンタクト領域１３とが環状に形成されている。ソース領域１２およびボディコンタクト領域１３は、互いに隣接している。
ドリフト領域１１の表層部には、平面視で中央部に、Ｎ＋型のドレイン領域１４が形成されている。ドレイン領域１４のＮ型不純物濃度は、たとえば、１０２０／ｃｍ３である。
【００２１】
また、ドリフト領域１１には、ＳＯＩ層５のＮ型不純物濃度よりも高く、かつ、ドレイン領域１４のＮ型不純物濃度よりも低いＮ型不純物濃度を有するＮ型領域１５が形成されている。図１に示す半導体装置１では、Ｎ型領域１５は、ドレイン領域１４のＢＯＸ層４に面する下部全体を覆うようにドレイン領域１４の下方部のみに選択的に形成され、ドレイン領域１４よりも深い位置に、ドレイン領域１４に対して間隔を空けて対向して形成されている。Ｎ型領域１５は、たとえば、Ｎ型不純物濃度の極大値（ピーク濃度）が１０１９／ｃｍ３であり、そのピーク濃度をドレイン領域１４の表面からの深さが５μｍの位置に有している。
【００２２】
ドリフト領域１１の表面には、ボディ領域１０との境界から所定間隔を空けた位置とドレイン領域１４との間に、ＬＯＣＯＳ酸化膜１６が形成されている。ソース領域１２とＬＯＣＯＳ酸化膜１６との間において、ＳＯＩ層５の表面上には、ゲート酸化膜１７が形成されている。ゲート酸化膜１７上には、ゲート電極１８が形成されている。また、ＬＯＣＯＳ酸化膜１６上には、フィールドプレート１９がゲート電極１８と一体的に形成されている。
【００２３】
また、厚膜ＳＯＩ基板２上は、ＳｉＯ２からなる層間絶縁膜２０で覆われている。層間絶縁膜２０には、ソース領域１２およびボディコンタクト領域１３に臨むソースコンタクトホール２１と、ドレイン領域１４に臨むドレインコンタクトホール２２とが貫通して形成されている。
層間絶縁膜２０上には、ソース配線２３およびドレイン配線２４が形成されている。ソース配線２３は、ソースコンタクトホール２１を介して、ソース領域１２およびボディコンタクト領域１３に接続されている。ドレイン配線２４は、ドレインコンタクトホール２２を介して、ドレイン領域１４に接続されている。
【００２４】
ソース配線２３を接地し、ドレイン配線２４に正極性の高電圧（ドレイン電圧）を印加しつつ、ゲート電極１８の電位を制御することにより、ボディ領域１０におけるゲート酸化膜１７との界面近傍にチャネルを形成して、ソース領域１２とドレイン領域１４との間に電流を流すことができる。
そして、ドレイン領域１４のＢＯＸ層４側にＮ型領域１５が形成されていることにより、ドレイン電圧の印加時に、空乏層がドレイン領域１４に向かって延びるのを抑制することができる。そのため、素子形成領域９に形成されるＬＤＭＯＳＦＥＴの耐圧を下げることなく、ＳＯＩ層５の層厚を小さくすることができる。たとえば、ＢＯＸ層４の層厚が１．５μｍであり、ドリフト領域１１のＮ型不純物濃度が３．５×１０１４／ｃｍ３であり、Ｎ型領域１５のピーク濃度が１０１９／ｃｍ３であり、そのピーク濃度をドレイン領域１４の表面からの深さが５μｍの位置に有する場合、ＳＯＩ層５の層厚を３０μｍとして、６００Ｖ以上の耐圧を得ることができる。すなわち、６００Ｖ以上の耐圧を得るために、従来の構造では、ＳＯＩ層の層厚が４０μｍ以上必要であるのに対し、半導体装置１では、ＳＯＩ層５の層厚が３０μｍでよい。ＳＯＩ層５の層厚を小さくすることにより、ディープトレンチ６を容易に形成することができるようになるので、半導体装置１の製造に要する手間および時間を低減することができる。
【００２５】
図２Ａ〜図２Ｅは、半導体装置１の製造方法を工程順に示す模式的な断面図である。
たとえば、イオン注入法によって、実質的に一定の不純物濃度を有するＮ−型シリコン基板内にＯ（酸素）を埋め込んだ後、そのＯを熱酸化させることにより、図２Ａに示すように、層厚１．５μｍのＢＯＸ層４および層厚２５μｍのＮ−型シリコン層２１を有する厚膜ＳＯＩ基板が作成される。この作成過程において、Ｂ（ボロン）などのＰ型不純物がＮ−型シリコン層２１に選択的に注入されることにより、Ｐ型領域２２が形成される。
【００２６】
次いで、図２Ｂに示すように、熱酸化法により、Ｎ−型シリコン層２１上に、ＳｉＯ２からなる熱酸化膜２３が形成される。そして、公知のフォトリソグラフィ技術およびエッチング技術により、熱酸化膜２３に、Ｎ−型シリコン層２１の表面を部分的に露出させる開口２４が形成される。その後、熱酸化膜２３上に、Ａｓ（ヒ素）またはＰ（リン）などのＮ型不純物を含む材料からなる塗布膜２５が形成される。塗布膜２５は、開口２４内にも形成され、開口２４内でＮ−型シリコン層２１の表面に接する。
【００２７】
つづいて、熱処理が行われることにより、Ｎ−型シリコン層２１における塗布膜２５と接している部分（開口２４に臨む部分）に、塗布膜２５中のＮ型不純物が拡散する。このＮ型不純物の拡散により、図２Ｃに示すように、Ｎ−型シリコン層２１の表層部に、Ｎ型拡散領域２６が形成される。Ｎ型拡散領域２６の形成後、Ｎ−型シリコン層２１上から熱酸化膜２３および塗布膜２５が除去される。
【００２８】
その後、図２Ｄに示すように、エピタキシャル成長法により、Ｎ−型シリコン層２１上に、Ｎ−型シリコン層２１のＮ型不純物濃度と同じＮ型不純物濃度を有するＮ−型エピタキシャル層２７が形成される。Ｎ−型エピタキシャル層２７は、層厚が５μｍに形成される。これにより、Ｎ−型シリコン層２１およびＮ−型エピタキシャル層２７からなる層厚３０μｍのＳＯＩ層５が得られる。そして、Ｎ−型エピタキシャル層２７におけるＰ型領域２２上の部分に、ＢなどのＰ型不純物が選択的に注入されることにより、Ｐ型領域２８が形成される。これにより、Ｐ型領域２２，２８からなるボディ領域１０が得られるとともに、Ｎ−型シリコン層２１およびＮ−型エピタキシャル層２７からなるドリフト領域１１が得られる。また、Ｎ型拡散領域２６に含まれるＮ型不純物がＮ−型エピタキシャル層２７に拡散することにより、ドリフト領域１１に、Ｎ型領域１５が形成される。
【００２９】
その後、図２Ｅに示すように、ＬＯＣＯＳ法により、ドリフト領域１１の表面に、ＬＯＣＯＳ酸化膜１６が形成される。また、熱酸化法により、ボディ領域１０の表面とドリフト領域１１の表面とに跨って、ゲート酸化膜１７が形成される。さらに、Ｐ−ＣＶＤ（Plasma Chemical Vapor Deposition：プラズマ化学気相成長）法により、ＳＯＩ層５、ＬＯＣＯＳ酸化膜１６およびゲート酸化膜１７上に、Ｎ型不純物が高濃度にドーピングされたポリシリコンの堆積層が形成され、公知のフォトリソグラフィ技術およびエッチング技術により、そのポリシリコンの堆積層がパターニングされる。これにより、ゲート酸化膜１７上に、ゲート電極１８が形成されるとともに、ＬＯＣＯＳ酸化膜１６上に、フィールドプレート１９が形成される。
【００３０】
その後、イオン注入法により、ボディ領域１０の表層部に、ソース領域１２およびボディコンタクト領域１３が形成され、ドリフト領域１１の表層部に、ドレイン領域１４が形成される。そして、層間絶縁膜２０、ソース配線２３およびドレイン配線２４が形成されると、図１に示す構造の半導体装置１が得られる。
なお、図２Ａに示す工程の後、図２Ｂに示す工程に代えて、図３に示す工程が行われてもよい。図３に示す工程では、まず、熱酸化法により、Ｎ−型シリコン層２１上に、ＳｉＯ２からなる熱酸化膜２３が形成される。つづいて、公知のフォトリソグラフィ技術およびエッチング技術により、熱酸化膜２３の表面に、Ｎ型拡散領域２６を形成すべき部分に対向する凹部３１が形成される。その後、イオン注入法により、熱酸化膜２３の凹部３１からＮ−型シリコン層２１の表層部に、ＡｓまたはＰなどのＮ型不純物が注入される。そして、熱処理（アニール処理）が行われることにより、図２Ｃに示すように、Ｎ−型シリコン層２１の表層部に、Ｎ型拡散領域２６が形成される。熱酸化膜２３は、Ｎ型拡散領域２６の形成後に除去される。
【００３１】
図４は、本発明の一実施形態に係る半導体装置の構造を示す模式的な断面図である。図４において、図１に示す各部に相当する部分には、それらの各部と同一の参照符号を付して示している。また、以下では、図４に示す構造に関して、図１に示す構造との相違点を中心に説明し、図１に示す各部に相当する部分についての説明を省略する。
図１に示す半導体装置１では、ドレイン領域１４からＢＯＸ層４側に間隔を空けて、Ｎ型領域１５が形成されている。これに対し、図４に示す半導体装置４１では、ドリフト領域１１において、ＳＯＩ層５のＮ型不純物濃度よりも高く、かつ、ドレイン領域１４のＮ型不純物濃度よりも低いＮ型不純物濃度を有するＮ型領域４２が、ドレイン領域１４に対してＢＯＸ層４側に隣接して形成されている。Ｎ型領域４２は、たとえば、Ｎ型不純物濃度の極大値（ピーク濃度）が１０１８／ｃｍ３であり、そのピーク濃度をドレイン領域１４の表面からの深さが２μｍの位置に有している。
【００３２】
図４に示す構造によっても、図１に示す構造と同様の作用効果を奏することができる。すなわち、たとえば、ＢＯＸ層４の層厚が１．５μｍであり、ドリフト領域１１のＮ型不純物濃度が３．５×１０１４／ｃｍ３であり、Ｎ型領域１５のピーク濃度が１０１８／ｃｍ３であり、そのピーク濃度をドレイン領域１４の表面からの深さが２μｍの位置に有する場合、ＳＯＩ層５の層厚を３０μｍとして、６００Ｖ以上の耐圧を得ることができる。
【００３３】
図５Ａ〜図５Ｄは、半導体装置４１の製造方法を工程順に示す模式的な断面図である。たとえば、イオン注入法によって、Ｎ−型シリコン基板内にＯを埋め込んだ後、そのＯを熱酸化させることにより、図５Ａに示すように、層厚１．５μｍのＢＯＸ層４および層厚３０μｍのＳＯＩ層５を有する厚膜ＳＯＩ基板２が作成される。この作成過程において、Ｂ（ボロン）などのＰ型不純物がＳＯＩ層５に選択的に注入されることにより、ボディ領域１０およびドリフト領域１１が形成される。
【００３４】
次いで、図５Ｂに示すように、熱酸化法により、ＳＯＩ層５上に、ＳｉＯ２からなる熱酸化膜５１が形成される。そして、公知のフォトリソグラフィ技術およびエッチング技術により、熱酸化膜５１上に、Ｎ型領域４２を形成すべき部分に対向する開口５２を有するマスク５３が形成される。そして、イオン注入法により、マスク５３の開口５２を介して、ドリフト領域１１の表層部に、ＡｓまたはＰなどのＮ型不純物が注入される。Ｎ型不純物の注入後、マスク５３は除去される。
【００３５】
その後、図５Ｃに示すように、熱処理（アニール処理）が行われることにより、ドリフト領域１１に注入されたＮ型不純物が活性化され、ドリフト領域１１の表層部に、Ｎ型領域４２が形成される。
Ｎ型領域４２の形成後、熱酸化膜５１が除去される。そして、図５Ｄに示すように、ＬＯＣＯＳ法により、ドリフト領域１１の表面に、ＬＯＣＯＳ酸化膜１６が形成される。また、熱酸化法により、ボディ領域１０の表面とドリフト領域１１の表面とに跨って、ゲート酸化膜１７が形成される。さらに、Ｐ−ＣＶＤ法により、ＳＯＩ層５、ＬＯＣＯＳ酸化膜１６およびゲート酸化膜１７上に、Ｎ型不純物が高濃度にドーピングされたポリシリコンの堆積層が形成され、公知のフォトリソグラフィ技術およびエッチング技術により、そのポリシリコンの堆積層がパターニングされる。これにより、ゲート酸化膜１７上に、ゲート電極１８が形成されるとともに、ＬＯＣＯＳ酸化膜１６上に、フィールドプレート１９が形成される。
【００３６】
その後、イオン注入法により、ボディ領域１０の表層部に、ソース領域１２およびボディコンタクト領域１３が形成され、ドリフト領域１１の表層部に、ドレイン領域１４が形成される。そして、層間絶縁膜２０、ソース配線２３およびドレイン配線２４が形成されると、図４に示す構造の半導体装置４１が得られる。
以上、本発明の実施形態および参考例を説明したが、本発明は、さらに他の形態で実施することもできる。たとえば、半導体装置１，４１において、ソース領域１２およびボディコンタクト領域１３の形成位置とドレイン領域１４の形成位置とが逆であってもよい。すなわち、ＳＯＩ層５において、その中央部に、Ｐ型のボディ領域１０が形成され、ディープトレンチ６の側面に沿って環状をなす領域（ボディ領域１０を取り囲む領域）が、Ｎ−型のドリフト領域１１とされて、ボディ領域１０の表層部の平面視中央部にソース領域１２およびボディコンタクト領域１３が形成され、ドリフト領域１１の表層部に環状のドレイン領域１４が形成されてもよい。
【００３７】
また、半導体装置１，４１の各半導体部分の導電型を反転した構成が採用されてもよい。すなわち、半導体装置１，４１において、Ｐ型の部分がＮ型であり、Ｎ型の部分がＰ型であってもよい。
その他、特許請求の範囲に記載された事項の範囲で種々の設計変更を施すことが可能である。
【符号の説明】
【００３８】
１  半導体装置
４  ＢＯＸ層
５  ＳＯＩ層
６  ディープトレンチ
９  素子形成領域
１０  ボディ領域
１１  ドリフト領域
１２  ソース領域
１４  ドレイン領域
１５  Ｎ型領域
４１  半導体装置
４２  Ｎ型領域
【図１】
2015156507.tif 000003
【図２Ａ】
2015156507.tif 000004
【図２Ｂ】
2015156507.tif 000005
【図２Ｃ】
2015156507.tif 000006
【図２Ｄ】
2015156507.tif 000007
【図２Ｅ】
2015156507.tif 000008
【図３】
2015156507.tif 000009
【図４】
2015156507.tif 000010
【図５Ａ】
2015156507.tif 000011
【図５Ｂ】
2015156507.tif 000012
【図５Ｃ】
2015156507.tif 000013
【図５Ｄ】
2015156507.tif 000014
【図６】
2015156507.tif 000015